(57)【要約】      （修正有）【課題】小型の静音型のスイッチを提供する。【解決手段】ベース２０にカバー８０を組付けて形成した空間内に、押しボタン７０を上下にスライド操作可能に装着したスイッチである。特に、前記押しボタン７０のスライド部の側壁に形成した弾性接触片７３の自由端部を、前記押しボタン７０を押し下げた場合に、前記ベース２０に当接可能とする一方、前記押しボタン７０を復帰させた場合に、前記カバー８０に当接可能とした小型の静音型のスイッチ。【選択図】図９
2015035402.tif 000002
【特許請求の範囲】
【請求項１】
ベースにカバーを組付けて形成した空間内に、押しボタンを上下にスライド操作可能に装着したスイッチであって、
前記押しボタンのスライド部の側壁に形成した弾性接触片の自由端部を、前記押しボタンを押し下げた場合に、前記ベースに当接可能とする一方、前記押しボタンを復帰させた場合に、前記カバーに当接可能としたことを特徴とするスイッチ。
【請求項２】
箱形ベースに枠状カバーを組付けて形成した空間内に、前記押しボタンを上下にスライド操作可能に装着したことを特徴とする請求項１に記載のスイッチ。
【請求項３】
前記ベースの内側面に、前記押しボタンを押し下げた場合に、前記押しボタンの弾性接触片が当接可能な当接段部を設けたことを特徴とする請求項１または２に記載のスイッチ。
【請求項４】
前記カバーの内側面に、前記押しボタンを復帰させた場合に、前記押しボタンの弾性接触片が当接可能な位置規制リブを突設したこを特徴とする請求項１ないし３のいずれか１項に記載のスイッチ。
【請求項５】
前記弾性接触片が、片持ち梁形状であることを特徴とする請求項１ないし４のいずれか１項に記載のスイッチ。
【請求項６】
前記弾性接触片が、正面Ｔ字形状であることを特徴とする請求項１ないし４のいずれか１項に記載のスイッチ。
【請求項７】
前記弾性接触片の自由端部に、前記ベースに当接可能な当接突起を設けたことを特徴とする請求項１ないし６のいずれか１項に記載のスイッチ。
【請求項８】
前記押しボタンに、前記押しボタンが復帰した場合に、前記カバーの位置規制リブが嵌合する切り欠き部を設けたことを特徴とする請求項１ないし７のいずれか１項に記載のスイッチ
【請求項９】
請求項１ないし８のいずれか１項に記載のスイッチを組み込んだことを特徴とするキーボード。
【発明の詳細な説明】
【技術分野】
【０００１】
スイッチ、特に、静音型スイッチに関する。
【背景技術】
【０００２】
従来、スイッチとしては、例えば、上部に操作ノブを備え、下部に有蓋四角筒状のボディ本体を備え、前記ボディ本体において一の相対向する両側面の上部には、パネルカバーに当接可能に一対の第１のバネ体を一体に設け、下部にはパネルカバーにて覆われる部材に当接可能に一対の第２のバネ体を一体に設けた押しボタンスイッチにおいて、前記第１及び第２のバネ体は、ボディ本体の外側面側であって、同一側面側に設けられており、且つ、それぞれ前記外側面の面に沿って延出形成され、前記第１のバネ体の下方及び第２のバネ体の上方には、それぞれ前記ボディ本体の上面と離間し、成形時に中子が配置されて成形される上下一対の空間が形成され、前記上下一対の空間は、成形に用いる金型を型開きしたときに前記中子が抜き出されて形成されるように、前記外側面の面と直交する方向に当該外側面の面から開口していることを特徴とする押しボタンスイッチがある（特許文献１参照）。
【先行技術文献】
【特許文献】
【０００３】
【特許文献１】特許第３８８７０５７号公報
【発明の概要】
【発明が解決しようとする課題】
【０００４】
しかしながら、前述のスイッチでは、その図２および図３に示すように、動作時用バネ部と復帰時用バネ部とを設ける必要があるので、ボディ本体が大型化し、スイッチを小型化することが困難であるという問題点がある。
本発明に係るスイッチは、前記問題点を解決すべく、小型の静音型のスイッチを提供することを課題とする。
【課題を解決するための手段】
【０００５】
本発明に係るスイッチは、前記課題を解決すべく、ベースにカバーを組付けて形成した空間内に、押しボタンを上下にスライド操作可能に装着したスイッチであって、前記押しボタンのスライド部の側壁に形成した弾性接触片の自由端部を、前記押しボタンを押し下げた場合に、前記ベースに当接可能とする一方、前記押しボタンを復帰させた場合に、前記カバーに当接可能とした構成としてある。
【発明の効果】
【０００６】
本発明によれば、動作時および復帰時に１つの弾性接触片がベースおよびカバーに当接し、衝突音を吸収緩和するので、小型で静音型のスイッチが得られる。
【０００７】
本発明の実施形態としては、箱形ベースに枠状カバーを組付けて形成した空間内に、押しボタンを上下にスライド操作可能に装着した構成としてもよい。
本実施形態によれば、密閉された空間内で押しボタンがスライド移動することにより、より一層静かな小型のスイッチが得られる。
【０００８】
本発明の他の実施形態としては、前記ベースの内側面に、前記押しボタンを押し下げた場合に、前記押しボタンの弾性接触片が当接可能な当接段部を設けておいてもよく、また、前記カバーの内側面に、前記押しボタンを復帰させた場合に、前記押しボタンの弾性接触片が当接可能な位置規制リブを突設しておいてもよい。
本実施形態によれば、操作ストロークが短かくなり、より小型のスイッチが得られる。
【０００９】
本発明の別の実施形態としては、前記弾性接触片は片持ち梁形状であってもよく、また、前記弾性接触片は正面Ｔ字形状であってもよい。
本実施形態によれば、設計の自由度が広がるだけでなく、特に、弾性接触片が正面Ｔ字形状であれば、より一層静かなスイッチが得られる。
【００１０】
本発明の異なる実施形態としては、前記弾性接触片の自由端部に、前記ベースに当接可能な当接突起を設けておいてもよい。
本実施形態によれば、当接面積が小さい当接突起がベースに当接するので、より一層静かなスイッチが得られる。
【００１１】
本発明の新たな実施形態としては、前記押しボタンに、前記押しボタンが復帰した場合に、前記カバーの位置規制リブが嵌合する切り欠き部を設けておいてもよい。
【００１２】
本実施形態によれば、前記位置規制リブが押しボタンに設けた切り欠き部に嵌合することにより、前記押しボタンの内部空間と外部空間とを仕切るので、衝突音が漏れず、より一層静かなスイッチが得られる。
【００１３】
本発明に係るキーボードは、前述のスイッチを備えた構成としてある。
【００１４】
本実施形態によれば、動作時および復帰時に１つの弾性接触片がベースおよびカバーに当接し、衝突音を吸収緩和するので、小型で静音型のキーボードが得られるという効果がある。
【図面の簡単な説明】
【００１５】
【図１】図Ａ，Ｂは本発明に係るスイッチの第１実施形態を示す異なる角度から視た全体斜視図である。
【図２】図１Ａで図示したスイッチの分解斜視図である。
【図３】図１Ｂで図示したスイッチの分解斜視図である。
【図４】図Ａ，Ｂは図２，３で図示した箱形ベースを異なる角度から視た拡大斜視図である。
【図５】図４で図示した箱形ベースを異なる角度から視た拡大斜視図である。
【図６】図Ａ，Ｂは図２，３で図示した接点端子を異なる角度から視た拡大斜視図である。
【図７】図Ａ，Ｂ，Ｃは図２，３で図示した導光体を異なる角度から視た拡大斜視図および断面図である。
【図８】図Ａ，Ｂは図２，３で図示した押しボタンを異なる角度から視た拡大斜視図である。
【図９】図Ａ，Ｂは図１で図示したスイッチの動作前を示す縦断面斜視図および平面断面図である。
【図１０】図Ａ，Ｂは図１で図示したスイッチの動作後を示す縦断面斜視図および平面断面図である。
【図１１】図Ａ，Ｂは本発明に係るスイッチの第２実施形態の動作前後示す縦断面斜視図である。
【図１２】図１１で図示したスイッチに係る押しボタンを異なる角度から視た拡大斜視図である。
【図１３】図１１で図示したスイッチに係る枠状カバーを異なる角度から視た拡大斜視図である。
【発明を実施するための形態】
【００１６】
本発明に係るスイッチを図１ないし図２１の添付図面に従って説明する。
第１実施形態に係るスイッチは、図１ないし図１０に示すように、ＬＥＤ等の光源１１を表面実装した基板１０に装着される箱形ベース２０と、前記箱形ベース２０に組み込まれる１対の接点端子３０，４０と、導光体５０と、復帰バネ６０と、押しボタン７０と、枠状カバー８０と、で構成されている。
【００１７】
前記基板１０は、図２に示すように、表面実装した光源１１を間にして一対の位置決め孔１２，１２を設けてあるとともに、前記光源１１を間にして一対の端子孔１３，１３を設けてある。
【００１８】
前記箱形ベース２０は、図４および図５に示すように、平面方形の樹脂成形品であり、その開口縁部に沿って環状リブ２１を形成するとともに、前記環状リブ２１の対向する辺の中央を切り欠いて係合受け部２１ａを形成してある。また、前記箱形ベース２０は、その開口縁部の角部に断面略Ｌ字形のガイド突部２１ｂを突設してある。さらに、前記箱形ベース２０は、その底面中央に突設した支柱台２２に平面方形の挿入孔２３を形成してあるとともに、前記支柱台２２の外周面にテーパ面を備えた補強リブ２２ａを一体成形してある。
また、前記箱形ベース２０は、図５に示すように、前記支柱台２２の周囲に円環状リブ２４を同心円状に突設して環状溝２５を形成してある。そして、前記円環状リブ２４は、その外周面に一対の圧入用突部２４ａ，２４ｂを側方に向けて平行に突き出している。さらに、前記箱形ベース２０は、前記圧入用突部２４ａ，２４ｂに対向する内側面に当接段部２６を突設するとともに、前記当接段部２６の内側面の一方の片側縁部に一対の圧入用突部２６ａ，２６ａを突設し、ガイド溝２６ｂを形成する一方、その他方の片側縁部に抜け止め突起２６ｃを突設してある。そして、前記箱形ベース２０は、図４Ｂに示すように、その下面に、前記挿入孔２３を間にして一対の位置決め突部２７，２７を設けてあるとともに、一対の端子孔２８，２８を設けてある。前記端子孔２８は前記ガイド溝２６ｂに連通している。
【００１９】
一対の接点端子３０，４０は、図６に示すように、同一形状を有するとともに、前記箱形ベース２０に点対称に配置してある。
前記接点端子３０は、導電性薄板を打ち抜いてプレス加工したものであり、突出し加工を施して端子部３１を形成してある。そして、前記端子部３１の一方の片側縁部からは屈曲した可動接触片３２と、抜け止め舌片３３とを延在してある。さらに、前記可動接触片３２の自由端部の外向面には可動接点３４を設けてあるとともに、前記自由端部から側方に押圧受け部３５を延在してある。
また、前記端子部３１の他方の片側縁部からは略Ｌ字形の位置決め部３６を延在してあるとともに、前記位置決め部３６から固定接触片３７を延在してある。前記固定接触片３７の内側面縁部には固定接点３８を設けてある。
なお、接点端子４０は、前記接点端子３０と同一形状を有しているので、接点端子４０には接点端子３０に準じた番号を附して説明を省略する。
【００２０】
そして、前記接点端子３０，４０の端子部３１，４１を前記箱形ベース２０のガイド溝２６ｂに沿って端子孔２８に挿入すると、前記端子部３１，４１の両側が、前記圧入用突部２６ａ，２６ａと、前記箱形ベース２０の圧入用突部２４ａ，２４ｂとの間に圧入され、板厚方向に位置決めされる。さらに、前記接点端子３０，４０を圧入することにより、前記接点端子３０，４０の位置決め部３６，４６が前記箱形ベース２０の圧入用突部２４ｂ，２４ｂに当接して上下方向に位置決めされる。そして、前記接点端子３０，４０の抜け止め舌片３３，４３が前記箱形ベース２０の抜け止め突起２６ｃ，２６ｃにそれぞれ係止して抜け止めされる。これにより、可動接点３４，４４が固定接点４８，３８にそれぞれ圧接する（図１０Ｂ）。
なお、本実施形態に係る接点端子３０，４０は同一形状を有しているので、部品の共用化を図れるとともに、製造コストを低減できるという利点がある。
【００２１】
導光体５０は、図７に示すように、透光性樹脂（ポリカボネート樹脂，アクリル樹脂等）で形成された四角柱形状であり、その外側面には位置決め突起５１を突設してあるとともに、その下端面である入射面には凹レンズ５２を形成してある一方、その上端面である出射面にはマイクロレンズアレイ５３を形成してある。
本実施形態では、入射面の凹レンズ５２で光源１１の光の輝度を２つのピークに分けることにより、幅広い輝度分布を確保する一方、出射面のマイクロレンズアレイ５３で光源１１の光の指向性を緩和することにより、輝度均一性の良い領域を広く確保できるようにしてある。なお、前記導光体５０は、前述の形状に限らず、円柱形状あるいは三角柱等の多角柱形状であってもよく、また、円錐台あるいは多角錐台であってもよい。
【００２２】
前記入射面の凹レンズ５２は、傾斜角度が５５度、特に５０度以内とすることが好ましい。５５度を超えると、輝度均一性と輝度効率との両立が困難となるからである。
また、前記出射面に形成されるマイクロレンズアレイ５３は、直径１ｍｍ以下であることが好ましい。直径が１ｍｍを超えると、輝度均一性が悪化するからである。
からである。さらに、マイクロレンズの傾斜角度は、２０度以上、６０度以下であることが好ましい。２０度未満であると、光の混ざりが十分でなく、所望の均一性を確保できないからであり、６０度を超えると、隣り合うマイクロレンズ間の角度が小さくなりすぎ、金型の製造が困難になるからである。
そして、マイクロレンズは均一に配置することが好ましく、特に、平坦な隙間が生じないように隣接させて配置することが好ましい。このため、配置方法としては、例えば、格子状、あるいは、１個のマイクロレンズの周りに６個のマイクロレンズを隣接させた、いわゆるハニカム構造に配置してもよい。また、マイクロレンズは相互に隣接するように配置するだけでなく、一部が重なり合うように配置してもよい。
【００２３】
そして、前記導光体５０は、前記箱形ベース２０に設けた支柱台２２の挿入孔２３に挿入し、その位置決め突起５１を前記支柱台２２の上端面に係止することにより、位置決めされる。
【００２４】
復帰バネ６０は、図２および図３に示すように、コイルバネであり、前記箱形ベース２０の環状溝２５に位置決めされ、後述する押しボタン７０を上方に付勢する。
【００２５】
押しボタン７０は、図８に示すように、前記箱形ベース２０の開口部からスライド可能に嵌合する平面形状を有するスライド部７１と、前記スライド部７１の上面に環状段部７２を形成できる平面形状を有する枠形状のボタン本体部７５とを設けてある。
前記スライド部７１は、前記箱形ベース２０の開口部に沿ってスライド可能な外形寸法を有し、その内向面の対向する縁部から片持ち梁形状の弾性接触片７３と押圧リブ７４とをそれぞれ突設してある。また、前記スライド部７１は、前記弾性接触片７３の自由端部に当接突起７３ａを設けてあるとともに、前記弾性接触片７３の上方に位置する前記環状段部７２に切り欠き部７２ａを形成してある。
一方、ボタン本体部７５は、その底面中央に方形の嵌合孔７６を設けてあるとともに、その開口縁部にすり鉢状のテーパ面７７を形成してある。また、前記ボタン本体部７５は、その対向する外側面に、文字等を印字したキャップ（図示せず）を係合するための一対の係合リブ７８を上下方向にそれぞれ並設してあるとともに、その下面中央に、円環状溝７５ａを設けてある（図８Ｂ）。
【００２６】
そして、前記押しボタン７０は、そのスライド部７１を前記箱形ベース２０の開口部に嵌合することにより、前記円環状溝７５ａに前記復帰バネ６０の上端部を嵌合するとともに、嵌合孔７６に導光体５０が嵌合する。また、前記押しボタン７０は、その押圧リブ７４が前記接点端子３０，４０の押圧受け部３５，４５を押圧可能となり、可動接触片３２，４２を弾性変形させることにより、可動接点３４，４４が固定接点４８，３８からそれぞれ開離する。
【００２７】
枠状カバー８０は、図２および図３に示すように、前記箱形ベース２０の環状リブ２１に載置可能な平面形状を有するとともに、前記押しボタン７０の環状段部７２に係止して抜け止めできる断面形状を有している。また、前記枠状カバー８０は、その内側面の対向する開口縁部に位置規制リブ８１を突設している。そして、前記枠状カバー８０は、その対向する一対の外側面から弾性係合部８２をそれぞれ突設するとともに、他の対向する側面に嵌合切り欠き部８３を設けてある。
【００２８】
そして、前記枠状カバー８０は、前記箱形ベース２０に嵌合することにより、嵌合切り欠き部８３に前記押しボタン７０の係合リブ７８がスライド可能に嵌合するとともに、前記弾性係合部８２が前記箱形ベース２０の係合受け部２１ａに弾性係合することにより、前記押しボタン７０を抜け止めする。
【００２９】
次に、前述の構成部品からなるスイッチの動作について説明する。
なお、本実施形態では接点端子３０，４０を点対称に配置してあるので、接点端子３０を中心として説明する。
まず、図９に示すように、押しボタン７０が押圧されていない場合には、枠状カバー８０の位置規制リブ８１に押しボタン７０の弾性接触片７３が当接している。一方、前記押しボタン７０の押圧リブ７４が接点端子３０の押圧受け部３５を押圧しているので、可動接触片３２が弾性変形しており、可動接点３４が接点端子４０の固定接点４８から開離している。
【００３０】
そして、図１０に示すように、前記押しボタン７０を復帰バネ６０のバネ力に抗して押し下げると、押圧リブ７４が可動接触片３２の押圧受け部３５から外れる。このため、前記可動接触片３２が弾性復帰し、可動接点３４が接点端子４０の固定接点４８に接触して一対の接点端子３０，４０が導通し、操作信号が出力される。この結果、図示しない制御回路を介して光源１１が点灯し、前記導光体５０の入射面の凹レンズ５２から出射面のマイクロレンズアレイ５３を介して光が出射され、図示しないキートップの照光面を通過する。このとき、前記押しボタン７０の弾性接触片７３の当接突起７３ａが前記箱形ベース２０の当接段部２６の上端面に当接するが、前記弾性接触片７３の弾性変形および当接突起７３ａの接触面積が小さいことにより、大きな衝突音が発生せず、静音型スイッチが得られる。
【００３１】
そして、前記押しボタン７０の押圧を解除すると、復帰バネ６０のバネ力で押しボタン７０が押し上げられ、再び、押圧リブ７４が可動接触片３２の押圧受け部３５を押圧し、可動接点３４が固定接点４８から開離する。また、前記押しボタン７０が元の位置に復帰すると、前記押しボタン７０の弾性接触片７３が枠状カバー８０の位置規制リブ８１に当接しても、弾性変形して衝突音の発生を抑制する。特に、前記弾性接触片７３が位置規制リブ８１に当接する際には、前記位置規制リブ８１が押しボタン７０の切り欠き部７２ａに嵌合し、押しボタン７０の内部空間と外部空間とが仕切られる。このため、本実施形態によれば、動作音および復帰音が小さい静音型スイッチが得られる。
【００３２】
ついで、前記光源１１を消灯する場合には、前述の操作と同様、前記押しボタン７０を押圧して操作信号を出力することにより、図示しない制御回路を介して前記光源１１を消灯させればよい。
【００３３】
本実施形態では、押しボタン７０の操作によって光源１１を点灯，消灯させる場合を説明したが、前記押しボタン７０の操作に関係なく、例えば、図示しない制御回路を介して前記光源１１を常時点灯，点滅させてもよい。
【００３４】
第２実施形態は、図１１ないし図１３に示すように、基本的構成は前述の第１実施形態とほぼ同様であり、異なる点は、押しボタン７０および枠状カバー８０の形状である。
【００３５】
前記押しボタン７０は、図１２に図示するように、第１実施形態とほぼ同様であり、異なる点は弾性接触片７３を略Ｔ字形状にした点である。また、前記枠状カバー８０は、図１３に図示するように、前述の第１実施形態とほぼ同様であり、異なる点は一対の位置規制リブ８１，８１を設けた点である。他は前述の第１実施形態と同様であるので、同一部分には同一番号を附して説明を省略する。
【００３６】
前記押しボタン７０の押圧，解除による動作，復帰動作は前述の第１実施形態とほぼ同様である。異なる点は、押しボタン７０が動作，復帰する際に、弾性接触片７３の両端部が前記箱形ベース２０の当接段部２６の上端面および前記枠状カバー８０の一対の位置規制リブ８１，８１にそれぞれ当接する点である。このため、衝突エネルギーが４点に分散され、第１実施形態よりも衝突音が小さくなるので、より一層静かな静音型スイッチを得られるという利点がある。
【産業上の利用可能性】
【００３７】
本発明に係るスイッチは、キーボードスイッチとしてだけでなく、他のスイッチにも適用できることは勿論である。
【符号の説明】
【００３８】
１０：基板
１１：光源（ＬＥＤ等）
２０：箱形ベース
２１：環状リブ
２２：支柱台
２３：挿入孔
２４：円環状リブ
２５：環状溝
２６：当接段部
３０，４０：接点端子
３１，４１：端子部
３２，４２：可動接触片
３２ａ，４２ａ：可動接点
３３，４３：抜け止め片
３４，４４：可動接点
３５，４５：押圧受け部
３６，４６：位置決め部
３７，４７：固定接触片
３８，４８：固定接点
５０：導光体
５１：位置決め突起
５２：凹レンズ
５３：マイクロレンズアレイ
６０：復帰バネ
７０：押しボタン
７１：スライド部
７２：環状段部
７２ａ：切り欠き部
７３：弾性接触片
７３ａ：当接突起
７５：ボタン本体部
７６：嵌合孔
７７：テーパ面
７８：係合リブ
８０：枠状カバー
８１：位置規制リブ
８２：弾性係合部
８３：嵌合切り欠き部
９０：キートップ受光面
【図１】
2015035402.tif 000003
【図２】
2015035402.tif 000004
【図３】
2015035402.tif 000005
【図４】
2015035402.tif 000006
【図５】
2015035402.tif 000007
【図６】
2015035402.tif 000008
【図７】
2015035402.tif 000009
【図８】
2015035402.tif 000010
【図９】
2015035402.tif 000011
【図１０】
2015035402.tif 000012
【図１１】
2015035402.tif 000013
【図１２】
2015035402.tif 000014
【図１３】
2015035402.tif 000015
【手続補正書】
【提出日】平成26年12月17日(2014.12.17)
【手続補正１】
【補正対象書類名】特許請求の範囲
【補正対象項目名】全文
【補正方法】変更
【補正の内容】
【特許請求の範囲】
【請求項１】
ベースにカバーを組付けて形成した空間内に、押しボタンを上下にスライド操作可能に装着したスイッチであって、
前記押しボタンの対向する外側面の下端縁部から下方側にそれぞれ延在する一対のスライド部と、前記押しボタンの対向する残る外側面の２つの下端縁部のうち、少なくとも１つの下端縁部から前記カバーの内側面に沿い、かつ、前記スライド部の片側縁部に向けて延在した弾性接触片と、を備え、
前記弾性接触片の自由端部が、前記押しボタンを押し下げた場合に、前記ベースに当接可能とする一方、前記押しボタンを復帰させた場合に、前記カバーに当接可能としたことを特徴とするスイッチ。
【請求項２】
箱形ベースに枠状カバーを組付けて形成した空間内に、前記押しボタンを上下にスライド操作可能に装着したことを特徴とする請求項１に記載のスイッチ。
【請求項３】
前記ベースの内側面に、前記押しボタンを押し下げた場合に、前記押しボタンの前記弾性接触片が当接可能な当接段部を設けたことを特徴とする請求項１または２に記載のスイッチ。
【請求項４】
前記カバーの内側面に、前記押しボタンを復帰させた場合に、前記押しボタンの前記弾性接触片が当接可能な位置規制リブを突設したこを特徴とする請求項１ないし３のいずれか１項に記載のスイッチ。
【請求項５】
前記弾性接触片が、片持ち梁形状であることを特徴とする請求項１ないし４のいずれか１項に記載のスイッチ。
【請求項６】
前記弾性接触片が、正面Ｔ字形状であることを特徴とする請求項１ないし４のいずれか１項に記載のスイッチ。
【請求項７】
前記弾性接触片の自由端部に、前記ベースに当接可能な当接突起を設けたことを特徴とする請求項１ないし６のいずれか１項に記載のスイッチ。
【請求項８】
前記押しボタンの対向する残る外側面の下端縁部に、前記押しボタンが復帰した場合に、前記カバーの内側面に設けた前記位置規制リブに嵌合する切り欠き部を、設けたことを特徴とする請求項４ないし７のいずれか１項に記載のスイッチ。
【請求項９】
請求項１ないし８のいずれか１項に記載のスイッチを組み込んだことを特徴とするキーボード。
【手続補正２】
【補正対象書類名】明細書
【補正対象項目名】全文
【補正方法】変更
【補正の内容】
【発明の詳細な説明】
【技術分野】
【０００１】
スイッチ、特に、静音型スイッチに関する。
【背景技術】
【０００２】
従来、スイッチとしては、例えば、上部に操作ノブを備え、下部に有蓋四角筒状のボディ本体を備え、前記ボディ本体において一の相対向する両側面の上部には、パネルカバーに当接可能に一対の第１のバネ体を一体に設け、下部にはパネルカバーにて覆われる部材に当接可能に一対の第２のバネ体を一体に設けた押しボタンスイッチにおいて、前記第１及び第２のバネ体は、ボディ本体の外側面側であって、同一側面側に設けられており、且つ、それぞれ前記外側面の面に沿って延出形成され、前記第１のバネ体の下方及び第２のバネ体の上方には、それぞれ前記ボディ本体の上面と離間し、成形時に中子が配置されて成形される上下一対の空間が形成され、前記上下一対の空間は、成形に用いる金型を型開きしたときに前記中子が抜き出されて形成されるように、前記外側面の面と直交する方向に当該外側面の面から開口していることを特徴とする押しボタンスイッチがある（特許文献１参照）。
【先行技術文献】
【特許文献】
【０００３】
【特許文献１】特許第３８８７０５７号公報
【発明の概要】
【発明が解決しようとする課題】
【０００４】
しかしながら、前述のスイッチでは、その図２および図３に示すように、動作時用バネ部と復帰時用バネ部とを設ける必要があるので、ボディ本体が大型化し、スイッチを小型化することが困難であるという問題点がある。
本発明に係るスイッチは、前記問題点を解決すべく、小型の静音型のスイッチを提供することを課題とする。
【課題を解決するための手段】
【０００５】
本発明に係るスイッチは、前記課題を解決すべく、ベースにカバーを組付けて形成した空間内に、押しボタンを上下にスライド操作可能に装着したスイッチであって、前記押しボタンの対向する外側面の下端縁部から下方側にそれぞれ延在する一対のスライド部と、前記押しボタンの対向する残る外側面の２つの下端縁部のうち、少なくとも１つの下端縁部から前記カバーの内側面に沿い、かつ、前記スライド部の片側縁部に向けて延在した弾性接触片と、を備え、前記弾性接触片の自由端部が、前記押しボタンを押し下げた場合に、前記ベースに当接可能とする一方、前記押しボタンを復帰させた場合に、前記カバーに当接可能とした構成としてある。
【発明の効果】
【０００６】
本発明によれば、動作時および復帰時に１つの弾性接触片がベースおよびカバーに当接し、衝突音を吸収緩和するので、小型で静音型のスイッチが得られる。
【０００７】
本発明の実施形態としては、箱形ベースに枠状カバーを組付けて形成した空間内に、押しボタンを上下にスライド操作可能に装着した構成としてもよい。
本実施形態によれば、密閉された空間内で押しボタンがスライド移動することにより、より一層静かな小型のスイッチが得られる。
【０００８】
本発明の他の実施形態としては、前記ベースの内側面に、前記押しボタンを押し下げた場合に、前記押しボタンの前記弾性接触片が当接可能な当接段部を設けておいてもよく、また、前記カバーの内側面に、前記押しボタンを復帰させた場合に、前記押しボタンの前記弾性接触片が当接可能な位置規制リブを突設しておいてもよい。
本実施形態によれば、操作ストロークが短かくなり、より小型のスイッチが得られる。
【０００９】
本発明の別の実施形態としては、前記弾性接触片は片持ち梁形状であってもよく、また、前記弾性接触片は正面Ｔ字形状であってもよい。
本実施形態によれば、設計の自由度が広がるだけでなく、特に、弾性接触片が正面Ｔ字形状であれば、より一層静かなスイッチが得られる。
【００１０】
本発明の異なる実施形態としては、前記弾性接触片の自由端部に、前記ベースに当接可能な当接突起を設けておいてもよい。
本実施形態によれば、当接面積が小さい当接突起がベースに当接するので、より一層静かなスイッチが得られる。
【００１１】
本発明の新たな実施形態としては、前記押しボタンの対向する残る外側面の下端縁部に、前記押しボタンが復帰した場合に、前記カバーの内側面に設けた前記位置規制リブに嵌合する切り欠き部を、設けておいてもよい。
【００１２】
本実施形態によれば、前記位置規制リブが押しボタンに設けた切り欠き部に嵌合することにより、前記押しボタンの内部空間と外部空間とを仕切るので、衝突音が漏れず、より一層静かなスイッチが得られる。
【００１３】
本発明に係るキーボードは、前述のスイッチを備えた構成としてある。
【００１４】
本実施形態によれば、動作時および復帰時に１つの弾性接触片がベースおよびカバーに当接し、衝突音を吸収緩和するので、小型で静音型のキーボードが得られるという効果がある。
【図面の簡単な説明】
【００１５】
【図１】図Ａ，Ｂは本発明に係るスイッチの第１実施形態を示す異なる角度から視た全体斜視図である。
【図２】図１Ａで図示したスイッチの分解斜視図である。
【図３】図１Ｂで図示したスイッチの分解斜視図である。
【図４】図Ａ，Ｂは図２，３で図示した箱形ベースを異なる角度から視た拡大斜視図である。
【図５】図４で図示した箱形ベースを異なる角度から視た拡大斜視図である。
【図６】図Ａ，Ｂは図２，３で図示した接点端子を異なる角度から視た拡大斜視図である。
【図７】図Ａ，Ｂ，Ｃは図２，３で図示した導光体を異なる角度から視た拡大斜視図および断面図である。
【図８】図Ａ，Ｂは図２，３で図示した押しボタンを異なる角度から視た拡大斜視図である。
【図９】図Ａ，Ｂは図１で図示したスイッチの動作前を示す縦断面斜視図および平面断面図である。
【図１０】図Ａ，Ｂは図１で図示したスイッチの動作後を示す縦断面斜視図および平面断面図である。
【図１１】図Ａ，Ｂは本発明に係るスイッチの第２実施形態の動作前後示す縦断面斜視図である。
【図１２】図１１で図示したスイッチに係る押しボタンを異なる角度から視た拡大斜視図である。
【図１３】図１１で図示したスイッチに係る枠状カバーを異なる角度から視た拡大斜視図である。
【発明を実施するための形態】
【００１６】
本発明に係るスイッチを図１ないし図２１の添付図面に従って説明する。
第１実施形態に係るスイッチは、図１ないし図１０に示すように、ＬＥＤ等の光源１１を表面実装した基板１０に装着される箱形ベース２０と、前記箱形ベース２０に組み込まれる１対の接点端子３０，４０と、導光体５０と、復帰バネ６０と、押しボタン７０と、枠状カバー８０と、で構成されている。
【００１７】
前記基板１０は、図２に示すように、表面実装した光源１１を間にして一対の位置決め孔１２，１２を設けてあるとともに、前記光源１１を間にして一対の端子孔１３，１３を設けてある。
【００１８】
前記箱形ベース２０は、図４および図５に示すように、平面方形の樹脂成形品であり、その開口縁部に沿って環状リブ２１を形成するとともに、前記環状リブ２１の対向する辺の中央を切り欠いて係合受け部２１ａを形成してある。また、前記箱形ベース２０は、その開口縁部の角部に断面略Ｌ字形のガイド突部２１ｂを突設してある。さらに、前記箱形ベース２０は、その底面中央に突設した支柱台２２に平面方形の挿入孔２３を形成してあるとともに、前記支柱台２２の外周面にテーパ面を備えた補強リブ２２ａを一体成形してある。
また、前記箱形ベース２０は、図５に示すように、前記支柱台２２の周囲に円環状リブ２４を同心円状に突設して環状溝２５を形成してある。そして、前記円環状リブ２４は、その外周面に一対の圧入用突部２４ａ，２４ｂを側方に向けて平行に突き出している。さらに、前記箱形ベース２０は、前記圧入用突部２４ａ，２４ｂに対向する内側面に当接段部２６を突設するとともに、前記当接段部２６の内側面の一方の片側縁部に一対の圧入用突部２６ａ，２６ａを突設し、ガイド溝２６ｂを形成する一方、その他方の片側縁部に抜け止め突起２６ｃを突設してある。そして、前記箱形ベース２０は、図４Ｂに示すように、その下面に、前記挿入孔２３を間にして一対の位置決め突部２７，２７を設けてあるとともに、一対の端子孔２８，２８を設けてある。前記端子孔２８は前記ガイド溝２６ｂに連通している。
【００１９】
一対の接点端子３０，４０は、図６に示すように、同一形状を有するとともに、前記箱形ベース２０に点対称に配置してある。
前記接点端子３０は、導電性薄板を打ち抜いてプレス加工したものであり、突出し加工を施して端子部３１を形成してある。そして、前記端子部３１の一方の片側縁部からは屈曲した可動接触片３２と、抜け止め舌片３３とを延在してある。さらに、前記可動接触片３２の自由端部の外向面には可動接点３４を設けてあるとともに、前記自由端部から側方に押圧受け部３５を延在してある。
また、前記端子部３１の他方の片側縁部からは略Ｌ字形の位置決め部３６を延在してあるとともに、前記位置決め部３６から固定接触片３７を延在してある。前記固定接触片３７の内側面縁部には固定接点３８を設けてある。
なお、接点端子４０は、前記接点端子３０と同一形状を有しているので、接点端子４０には接点端子３０に準じた番号を附して説明を省略する。
【００２０】
そして、前記接点端子３０，４０の端子部３１，４１を前記箱形ベース２０のガイド溝２６ｂに沿って端子孔２８に挿入すると、前記端子部３１，４１の両側が、前記圧入用突部２６ａ，２６ａと、前記箱形ベース２０の圧入用突部２４ａ，２４ｂとの間に圧入され、板厚方向に位置決めされる。さらに、前記接点端子３０，４０を圧入することにより、前記接点端子３０，４０の位置決め部３６，４６が前記箱形ベース２０の圧入用突部２４ｂ，２４ｂに当接して上下方向に位置決めされる。そして、前記接点端子３０，４０の抜け止め舌片３３，４３が前記箱形ベース２０の抜け止め突起２６ｃ，２６ｃにそれぞれ係止して抜け止めされる。これにより、可動接点３４，４４が固定接点４８，３８にそれぞれ圧接する（図１０Ｂ）。
なお、本実施形態に係る接点端子３０，４０は同一形状を有しているので、部品の共用化を図れるとともに、製造コストを低減できるという利点がある。
【００２１】
導光体５０は、図７に示すように、透光性樹脂（ポリカボネート樹脂，アクリル樹脂等）で形成された四角柱形状であり、その外側面には位置決め突起５１を突設してあるとともに、その下端面である入射面には凹レンズ５２を形成してある一方、その上端面である出射面にはマイクロレンズアレイ５３を形成してある。
本実施形態では、入射面の凹レンズ５２で光源１１の光の輝度を２つのピークに分けることにより、幅広い輝度分布を確保する一方、出射面のマイクロレンズアレイ５３で光源１１の光の指向性を緩和することにより、輝度均一性の良い領域を広く確保できるようにしてある。なお、前記導光体５０は、前述の形状に限らず、円柱形状あるいは三角柱等の多角柱形状であってもよく、また、円錐台あるいは多角錐台であってもよい。
【００２２】
前記入射面の凹レンズ５２は、傾斜角度が５５度、特に５０度以内とすることが好ましい。５５度を超えると、輝度均一性と輝度効率との両立が困難となるからである。
また、前記出射面に形成されるマイクロレンズアレイ５３は、直径１ｍｍ以下であることが好ましい。直径が１ｍｍを超えると、輝度均一性が悪化するからである。
からである。さらに、マイクロレンズの傾斜角度は、２０度以上、６０度以下であることが好ましい。２０度未満であると、光の混ざりが十分でなく、所望の均一性を確保できないからであり、６０度を超えると、隣り合うマイクロレンズ間の角度が小さくなりすぎ、金型の製造が困難になるからである。
そして、マイクロレンズは均一に配置することが好ましく、特に、平坦な隙間が生じないように隣接させて配置することが好ましい。このため、配置方法としては、例えば、格子状、あるいは、１個のマイクロレンズの周りに６個のマイクロレンズを隣接させた、いわゆるハニカム構造に配置してもよい。また、マイクロレンズは相互に隣接するように配置するだけでなく、一部が重なり合うように配置してもよい。
【００２３】
そして、前記導光体５０は、前記箱形ベース２０に設けた支柱台２２の挿入孔２３に挿入し、その位置決め突起５１を前記支柱台２２の上端面に係止することにより、位置決めされる。
【００２４】
復帰バネ６０は、図２および図３に示すように、コイルバネであり、前記箱形ベース２０の環状溝２５に位置決めされ、後述する押しボタン７０を上方に付勢する。
【００２５】
押しボタン７０は、図８に示すように、前記箱形ベース２０の開口部からスライド可能に嵌合する平面形状を有するスライド部７１と、前記スライド部７１の上面に環状段部７２を形成できる平面形状を有する枠形状のボタン本体部７５とを設けてある。
前記スライド部７１は、前記箱形ベース２０の開口部に沿ってスライド可能な外形寸法を有し、その内向面の対向する縁部から片持ち梁形状の弾性接触片７３と押圧リブ７４とをそれぞれ突設してある。また、前記スライド部７１は、前記弾性接触片７３の自由端部に当接突起７３ａを設けてあるとともに、前記弾性接触片７３の上方に位置する前記環状段部７２に切り欠き部７２ａを形成してある。
一方、ボタン本体部７５は、その底面中央に方形の嵌合孔７６を設けてあるとともに、その開口縁部にすり鉢状のテーパ面７７を形成してある。また、前記ボタン本体部７５は、その対向する外側面に、文字等を印字したキャップ（図示せず）を係合するための一対の係合リブ７８を上下方向にそれぞれ並設してあるとともに、その下面中央に、円環状溝７５ａを設けてある（図８Ｂ）。
【００２６】
そして、前記押しボタン７０は、そのスライド部７１を前記箱形ベース２０の開口部に嵌合することにより、前記円環状溝７５ａに前記復帰バネ６０の上端部を嵌合するとともに、嵌合孔７６に導光体５０が嵌合する。また、前記押しボタン７０は、その押圧リブ７４が前記接点端子３０，４０の押圧受け部３５，４５を押圧可能となり、可動接触片３２，４２を弾性変形させることにより、可動接点３４，４４が固定接点４８，３８からそれぞれ開離する。
【００２７】
枠状カバー８０は、図２および図３に示すように、前記箱形ベース２０の環状リブ２１に載置可能な平面形状を有するとともに、前記押しボタン７０の環状段部７２に係止して抜け止めできる断面形状を有している。また、前記枠状カバー８０は、その内側面の対向する開口縁部に位置規制リブ８１を突設している。そして、前記枠状カバー８０は、その対向する一対の外側面から弾性係合部８２をそれぞれ突設するとともに、他の対向する側面に嵌合切り欠き部８３を設けてある。
【００２８】
そして、前記枠状カバー８０は、前記箱形ベース２０に嵌合することにより、嵌合切り欠き部８３に前記押しボタン７０の係合リブ７８がスライド可能に嵌合するとともに、前記弾性係合部８２が前記箱形ベース２０の係合受け部２１ａに弾性係合することにより、前記押しボタン７０を抜け止めする。
【００２９】
次に、前述の構成部品からなるスイッチの動作について説明する。
なお、本実施形態では接点端子３０，４０を点対称に配置してあるので、接点端子３０を中心として説明する。
まず、図９に示すように、押しボタン７０が押圧されていない場合には、枠状カバー８０の位置規制リブ８１に押しボタン７０の弾性接触片７３が当接している。一方、前記押しボタン７０の押圧リブ７４が接点端子３０の押圧受け部３５を押圧しているので、可動接触片３２が弾性変形しており、可動接点３４が接点端子４０の固定接点４８から開離している。
【００３０】
そして、図１０に示すように、前記押しボタン７０を復帰バネ６０のバネ力に抗して押し下げると、押圧リブ７４が可動接触片３２の押圧受け部３５から外れる。このため、前記可動接触片３２が弾性復帰し、可動接点３４が接点端子４０の固定接点４８に接触して一対の接点端子３０，４０が導通し、操作信号が出力される。この結果、図示しない制御回路を介して光源１１が点灯し、前記導光体５０の入射面の凹レンズ５２から出射面のマイクロレンズアレイ５３を介して光が出射され、図示しないキートップの照光面を通過する。このとき、前記押しボタン７０の弾性接触片７３の当接突起７３ａが前記箱形ベース２０の当接段部２６の上端面に当接するが、前記弾性接触片７３の弾性変形および当接突起７３ａの接触面積が小さいことにより、大きな衝突音が発生せず、静音型スイッチが得られる。
【００３１】
そして、前記押しボタン７０の押圧を解除すると、復帰バネ６０のバネ力で押しボタン７０が押し上げられ、再び、押圧リブ７４が可動接触片３２の押圧受け部３５を押圧し、可動接点３４が固定接点４８から開離する。また、前記押しボタン７０が元の位置に復帰すると、前記押しボタン７０の弾性接触片７３が枠状カバー８０の位置規制リブ８１に当接しても、弾性変形して衝突音の発生を抑制する。特に、前記弾性接触片７３が位置規制リブ８１に当接する際には、前記位置規制リブ８１が押しボタン７０の切り欠き部７２ａに嵌合し、押しボタン７０の内部空間と外部空間とが仕切られる。このため、本実施形態によれば、動作音および復帰音が小さい静音型スイッチが得られる。
【００３２】
ついで、前記光源１１を消灯する場合には、前述の操作と同様、前記押しボタン７０を押圧して操作信号を出力することにより、図示しない制御回路を介して前記光源１１を消灯させればよい。
【００３３】
本実施形態では、押しボタン７０の操作によって光源１１を点灯，消灯させる場合を説明したが、前記押しボタン７０の操作に関係なく、例えば、図示しない制御回路を介して前記光源１１を常時点灯，点滅させてもよい。
【００３４】
第２実施形態は、図１１ないし図１３に示すように、基本的構成は前述の第１実施形態とほぼ同様であり、異なる点は、押しボタン７０および枠状カバー８０の形状である。
【００３５】
前記押しボタン７０は、図１２に図示するように、第１実施形態とほぼ同様であり、異なる点は弾性接触片７３を略Ｔ字形状にした点である。また、前記枠状カバー８０は、図１３に図示するように、前述の第１実施形態とほぼ同様であり、異なる点は一対の位置規制リブ８１，８１を設けた点である。他は前述の第１実施形態と同様であるので、同一部分には同一番号を附して説明を省略する。
【００３６】
前記押しボタン７０の押圧，解除による動作，復帰動作は前述の第１実施形態とほぼ同様である。異なる点は、押しボタン７０が動作，復帰する際に、弾性接触片７３の両端部が前記箱形ベース２０の当接段部２６の上端面および前記枠状カバー８０の一対の位置規制リブ８１，８１にそれぞれ当接する点である。このため、衝突エネルギーが４点に分散され、第１実施形態よりも衝突音が小さくなるので、より一層静かな静音型スイッチを得られるという利点がある。
【産業上の利用可能性】
【００３７】
本発明に係るスイッチは、キーボードスイッチとしてだけでなく、他のスイッチにも適用できることは勿論である。
【符号の説明】
【００３８】
１０：基板
１１：光源（ＬＥＤ等）
２０：箱形ベース
２１：環状リブ
２２：支柱台
２３：挿入孔
２４：円環状リブ
２５：環状溝
２６：当接段部
３０，４０：接点端子
３１，４１：端子部
３２，４２：可動接触片
３２ａ，４２ａ：可動接点
３３，４３：抜け止め片
３４，４４：可動接点
３５，４５：押圧受け部
３６，４６：位置決め部
３７，４７：固定接触片
３８，４８：固定接点
５０：導光体
５１：位置決め突起
５２：凹レンズ
５３：マイクロレンズアレイ
６０：復帰バネ
７０：押しボタン
７１：スライド部
７２：環状段部
７２ａ：切り欠き部
７３：弾性接触片
７３ａ：当接突起
７５：ボタン本体部
７６：嵌合孔
７７：テーパ面
７８：係合リブ
８０：枠状カバー
８１：位置規制リブ
８２：弾性係合部
８３：嵌合切り欠き部
９０：キートップ受光面